(57)【要約】【課題】簡易な構造で良好な防塵効果を得られるディスク装置を提供する。【解決手段】ディスク装置１は、ディスクＤ挿入／排出口１２を有する箱状の筐体２と、挿入又は排出されるディスクＤの搬送経路をガイドすると共に先端部が俯仰動作可能に軸支された蓋体１１を有し、その先端部の蓋部１１ａに折曲部が設けられ、蓋体１１が伏せたとき当該折曲部の先端縁が筐体２の段部２ａに当接してディスク挿入／排出口１２を閉じる。【選択図】図１
2010055670.tif 000002
【特許請求の範囲】
【請求項１】
ディスクの挿入／排出口を有する箱状の筐体と、
前記挿入／排出口に設けられ、前記ディスクの挿入又は排出に際して当該ディスクをガイドすると共にその先端部が俯仰動作可能に軸支されて前記挿入／排出口を開閉する蓋体を有し、
前記蓋体の先端部に折曲部が設けられ、当該蓋体が伏せたとき当該折曲部の先端縁が前記挿入／排出口の開口縁に当接して当該挿入／排出口を閉じることを特徴とするディスク装置。
【請求項２】
前記挿入／排出口の開口部は、挿入又は排出されるディスクの盤面内周部から外周部に向かうにつれて当該開口部の隙間が小さくなるよう設けられることを特徴とする請求項１に記載のディスク装置。
【請求項３】
前記蓋体の俯仰動作と、前記ディスクの挿入及び排出動作を行うディスク搬送部の位置変更動作と、を連動させる連動部を備えることを特徴とする請求項１又は２に記載のディスク装置。
【請求項４】
前記蓋体は、前記ディスク搬送部がディスクを搬送可能な位置にある場合に前記挿入／排出口を開くことを特徴とする請求項３に記載のディスク装置。
【請求項５】
前記蓋体は、前記ディスクが前記筐体内にある場合に前記挿入／排出口を閉じることを特徴とする請求項１から４のいずれか一項に記載のディスク装置。
【発明の詳細な説明】
【技術分野】
【０００１】
本発明は、ディスク装置に関する。
【背景技術】
【０００２】
コンパクトディスクやＤＶＤ、ブルーレイディスク等の読取媒体（以下、単にディスクと称する）に記録された音楽その他の各種データの読取、記録等を行うディスク装置が知られている。ディスク装置は、ディスクを挿入、排出するためのディスク挿入／排出口を有する。
【０００３】
前述のトレイ構造のような機器の稼動スペースを必要としないディスク装置の遮蔽構造として、ディスクの挿入及び排出を行う搬送ローラと一体に設けられたディスク装置の遮蔽構造が提案されている（特許文献１）。
図５に特許文献１のディスク装置の遮蔽構造を示す。図５（ａ）はディスク挿入／排出口１１３側から見た図、図５（ｂ）は図５（ａ）のＣ−Ｃ断面図である。
図７に示すように、ディスク遮蔽部１１１はディスク挿入／排出口１１３の長手方向と直交する棒状の遮蔽部であり、ディスク挿入／排出口１１３の一部を遮蔽する。ディスク遮蔽部１１１は、図５（ｂ）に示すように、搬送ローラ１１２と一体に設けられている。搬送ローラ１１２は、ディスクＤの搬送又は排出時にディスクＤの下面部に当接する。ディスク遮蔽部１１１は、ディスク挿入又は排出時に下方へ回動してディスク挿入／排出口１１３を開放すると共に搬送ローラ１１２をディスクＤに当接させる。ディスク遮蔽部１１１は、ディスク挿入後に上方へ回動してディスク挿入／排出口１１３を遮蔽する。従って、ディスクＤの挿入後、ディスクＤの排出前にさらに別のディスクを挿入しようとした場合、ディスク遮蔽部１１１がディスク挿入／排出口を遮蔽するので別のディスクは挿入できず、ディスクの２枚挿しを防止する。
【０００４】
ディスク挿入／排出口１１３を介して挿入／排出されるディスクＤは、ディスクガイド１１４と搬送ローラ１１２とに挟まれて誘導される。具体的には、ディスクＤの下面に当接するよう持ち上げられた搬送ローラ１１２がディスクＤをディスクガイド１１４に押し付け、搬送ローラ１１２の回転によりディスクＤを移動させる。
【０００５】
特許文献１以外のディスク装置の遮蔽構造として、例えば板状の蓋体がレール状のガイドに沿って上下にスライドすることでディスク挿入／排出口を開閉するシャッター構造等がある。
【特許文献１】特開２００２−２６９８８２号公報
【発明の開示】
【発明が解決しようとする課題】
【０００６】
ところで、ディスク挿入／排出口を介して、外部の粉塵等がディスク装置内に入り込むことがある。ディスク装置は当該粉塵等により動作不良や故障を生ずることがある。
【０００７】
ディスク装置に粉塵等が入り込むのは、主にディスクの挿入後にディスクが回転するときである。ディスク非挿入時にはディスク装置は稼動しないため、空気の移動がほとんどないことから、空気と共にディスク装置に侵入することがある粉塵等もほとんど移動しない。一方、ディスク回転時には、ディスクの回転に伴って空気が移動し、粉塵等も空気と共に移動してディスク装置内に侵入する可能性が高くなる。
【０００８】
特に、自動車等の車両に設ける車載のディスク装置においては、車内の空間に細かい埃や粉塵等が生じやすく、このような粉塵等によるディスク装置への悪影響が問題視されている。
【０００９】
しかしながら、特許文献１のディスク装置の遮蔽構造では、粉塵等が入り込むことがあった。即ち、図５（ａ）に示すように、ディスクの２枚挿しを防止するためのディスク遮蔽部１１１には隙間があり、ディスク挿入／排出口１１３を閉じる構造ではなかったからである。仮にディスク挿入／排出口１１３の横幅方向を十分に覆うディスク遮蔽部を用いたとしても、例えば図５（ｂ）の隙間Ｅ等から粉塵等が侵入することがある。
【００１０】
また、シャッター構造の場合、ディスク挿入／排出口を閉じた場合に粉塵等が入り込むことを防ぐことはできるが、上下するシャッター部材や当該シャッター部材の上下の開閉動作をガイドするガイド部、そしてシャッター部材を開閉動作させる駆動部等を要し、部品点数が多くなるので、構造の複雑化やコスト高を招く。
【００１１】
本発明は、簡易な構造で良好な防塵効果を得られるディスク装置を提供することを目的とする。
【課題を解決するための手段】
【００１２】
請求項１記載の発明は、ディスクの挿入／排出口を有する箱状の筐体と、前記挿入／排出口に設けられ、前記ディスクの挿入又は排出に際して当該ディスクをガイドすると共にその先端部が俯仰動作可能に軸支されて前記挿入／排出口を開閉する蓋体を有し、前記蓋体の先端部に折曲部が設けられ、当該蓋体が伏せたとき当該折曲部の先端縁が前記挿入／排出口の開口縁に当接して当該挿入／排出口を閉じることを特徴とするディスク装置である。
【００１３】
請求項２記載の発明は、請求項１に記載のディスク装置において、前記挿入／排出口の開口部は、挿入又は排出されるディスクの盤面内周部から外周部に向かうにつれて当該開口部の隙間が小さくなるよう設けられることを特徴とする。
【００１４】
請求項３記載の発明は、請求項１又は２に記載のディスク装置において、前記蓋体の俯仰動作と、前記ディスクの挿入及び排出動作を行うディスク搬送部の位置変更動作と、を連動させる連動部を備えることを特徴とする。
【００１５】
請求項４記載の発明は、請求項３に記載のディスク装置において、前記蓋体は、前記ディスク搬送部がディスクを搬送可能な位置にある場合に前記挿入／排出口を開くことを特徴とする。
【００１６】
請求項５記載の発明は、請求項１から４のいずれか一項に記載のディスク装置において、前記蓋体は、前記ディスクが前記筐体内にある場合に前記挿入／排出口を閉じることを特徴とする。
【発明の効果】
【００１７】
本発明によれば、簡易な構造で良好な防塵効果を得られるディスク装置を提供できる。
【発明を実施するための最良の形態】
【００１８】
以下、図を参照して本発明の実施形態を詳細に説明する。
図１に本発明の実施形態によるディスク装置１の斜視図を示す。図１（ａ）はディスク挿入／排出口１２が開いている場合、図１（ｂ）は閉じている場合を示す。
【００１９】
ディスク装置１は、蓋体１１を有する。蓋体１１は、ディスク装置１の箱状の筐体２に対して上下に俯仰可能に設けられ、ディスク挿入／排出口１２を開閉する。図１（ａ）に示すように、蓋体１１が上方へ仰ぐとディスク挿入／排出口１２は開き、図１（ｂ）に示すように、蓋体１１が下方へ伏せるとディスク挿入／排出口１２は閉じる。
【００２０】
ディスク装置１は、ディスク挿入／排出口１２からディスクを挿入又は排出する。ディスク挿入／排出口１２は、上方に仰いだ蓋体１１と筐体２との間の隙間である。ディスク挿入／排出口１２は、図１（ａ）に示すように、挿入又は排出されるディスクの盤面内周部から外周部に向かうにつれて開口部の隙間が小さくなるよう設けられる。
【００２１】
本実施形態のディスク挿入／排出口１２の形状は菱形形状であり、直線の外壁で構成されているが、曲線を含んでいてもよい。例えば内周部付近の開口部が大きくなるよう設けられた円弧を含むディスク挿入／排出口等が挙げられる。
【００２２】
蓋体１１は、その先端部に設けられた蓋部１１ａに断面鉤型状の折曲部を有する。一方、筐体２は、蓋体１１が伏せたとき蓋体１１の折曲部の先端縁と当接する形状を有する。具体的には、図１（ａ）に示すように、筐体２のディスク挿入／排出口１２の外側に段部２ａが設けられる。段部２ａは、挿入又は排出されるディスクの盤面内周部から外周部の位置に向かうにつれてディスクの盤面から遠ざかるよう傾斜している。一方、蓋体１１の蓋部１１ａの下縁は、挿入又は排出されるディスクの盤面内周部から外周部の位置に向かうにつれてディスクの盤面に近付くよう傾斜している。従って、図１（ｂ）に示すように、蓋体１１が下方へ伏せると、蓋部１１ａと段部２ａとが噛み合い、ディスク挿入／排出口１２を閉じる。
【００２３】
図２に、図１（ａ）のＡ−Ａ断面図を示す。図２（ａ）はディスクＤの挿入又は排出中、図２（ｂ）はディスクＤの挿入後を示す。
【００２４】
蓋体１１は、ヒンジ部１３によって蓋部１１ａを含む先端側が俯仰可能に支持される。
蓋体１１のうち、ヒンジ部１３に対してディスクＤの排出方向側（図２（ａ），（ｂ）の右側）に位置する部分は、ばね１４によって上方へと付勢される。即ち、蓋体１１は、ばね１４の付勢によって上方に仰いでディスク挿入／排出口１２を開く。蓋体１１は、ディスクＤがディスク装置１内にないとき、ディスク挿入／排出口１２を開くよう設けられる。
【００２５】
ディスクＤの挿入及び排出動作は、ディスク搬送部１５によって行われる。ディスク搬送部１５は、ディスクＤの下面部に当接して回転するローラ１６と、ローラ１６を回転可能に支持して上下に俯仰動作するローラレバー１７とを有する。ローラレバー１７は、ばね１８によりディスク挿入／排出口１２側へと引張られており、これによりローラレバー１７は上方へと仰ぐよう付勢されている。ローラレバー１７は、ディスクＤの挿入又は排出時に上方へ仰ぎ、ローラ１６をディスクＤの下面部に当接させる。
【００２６】
ローラ１６は、ローラ１６と一体に設けられた図示しないギヤを有する。ローラ１６がディスクＤの下面部に当接する位置となったとき、ギヤはローラ駆動ギヤ１９と噛合する。ローラ駆動ギヤ１９は図示しないローラ駆動モータ等の駆動部により回転駆動され、ギヤを介してローラ１６に回転力を伝達する。従って、図２（ａ）に示す位置にローラ１６があるとき、ローラ１６は回転し、ディスクＤを搬送する。このとき、ディスクＤの上面は蓋体１１と摺接する。ディスクＤは蓋体１１とローラ１６とに挟まれて搬送され、搬送されるディスクＤは蓋体１１の下面に沿って移動する。即ち、蓋体１１はディスクＤの挿入又は排出に際し、ディスクＤをガイドする。
【００２７】
ディスクＤの挿入検知は、ディスク挿入検知センサ３によって行われる。ディスク挿入検知センサ３は、ディスク挿入／排出口１２の内側に設けられ、挿入又は排出されるディスクＤを検知する。
【００２８】
挿入されたディスクＤの位置検知は、ディスクエンド検知センサ４によって行われる。ディスクエンド検知センサ４は、ディスクＤの盤面の外周端の近接を検知する。ディスクエンド検知センサ４によるディスクＤの検知により、ディスクＤの中央の穴部Ｄ１がターンテーブル５のディスク保持部６の上方に位置するようローラ１６の回転が制御される。
【００２９】
ターンテーブル５はディスクＤを回転駆動する機構であり、その上部にディスク保持部６を有する。ディスク保持部６は、ディスクＤの盤面中央に設けられた穴部Ｄ１と嵌合することでディスクＤを保持する。
ディスクＤの中央の穴部Ｄ１がターンテーブル５のディスク保持部６の上方に位置した後、ローラレバー１７は下方へ伏せ、ローラ１６はディスクの下面部から離隔する。
【００３０】
ターンテーブル５の上方にはディスククランプレバー７が設けられている。ディスククランプレバー７は、その先端部がディスク保持部５に対して上下に俯仰する。ディスクＤの中央の穴部Ｄ１がターンテーブル５のディスク保持部６の上方に位置すると、図５（ｂ）に示すように、ディスククランプレバー７が下方へと伏せることにより、その先端部のクランパ７ａがディスクＤを下方へと押圧してディスクＤをディスク保持部６に嵌め込む。
【００３１】
ディスクＤの挿入後、蓋体１１は下方へ伏せてディスク挿入／排出口１２を閉じる。その後、ターンテーブル５は、ディスク保持部６に嵌め込まれたディスクＤを回転駆動し、図示しない読取部によりその記録内容を読み取る等の各種動作を行う。このとき、蓋体１１はディスク挿入／排出口１２を閉じ、ディスク装置１内への粉塵等の異物の侵入を防ぐ。
【００３２】
ディスクＤを排出する場合、まず蓋体１１が上方へと仰いでディスク挿入／排出口１２が開き、次いでディスククランプレバー７が上方へ仰ぐ。その後、ローラレバー１７が上方へ伏せてローラ１６を介してディスクＤを押し上げる。押し上げられたディスクＤは、ディスク保持部６との嵌合を解消される。その後、ローラ１６が回転してディスクＤを排出する。
【００３３】
ディスク装置１に対するディスクＤの挿入は、手動で行う。ディスクＤの排出の指示は、図示しないイジェクトボタンの操作によって行う。
【００３４】
次に、蓋体１１、ローラレバー１７及びディスククランプレバー７の俯仰動作の仕組みについて説明する。
図３に図１（ａ）のＢ−Ｂ断面図を示す。図３（ａ）は蓋体１１、ローラレバー１７及びディスククランプレバー７が上方に仰いでいる場合、図３（ｂ）は蓋体１１、ローラレバー１７及びディスククランプレバー７が下方に伏せている場合を示す。
【００３５】
ディスク装置の防塵機構１０は、連動部として機能するスライドカム２１を有する。スライドカム２１は、筐体２の側部の壁面内側に設けられる。スライドカム２１は、ディスクＤの挿入／排出方向に沿って稼動可能に設けられた板状の部材であり、ギヤ部２１ａと噛合するピニオンギヤ２２の回転駆動によって稼動する。スライドカム２１の稼動方向は、ディスクＤの搬送方向に沿う。ピニオンギヤ２２は、図示しないスライドカム駆動モータ等の駆動部により回転駆動される。
【００３６】
図３（ａ）、（ｂ）に示すように、スライドカム２１は、溝として設けられたスライド溝２３，２４を有する。
スライド溝２３は、ディスククランプレバー７と一体に設けられたピン７ｂをその内側に擁する。
スライド溝２４は、ローラレバー１７と一体に設けられたピン１７ａと、蓋体１１と一体に設けられたピン１１ｂとをその内側に擁する。蓋体１１はばね１４によって、ローラレバー１７はばね１８によってそれぞれ上方へと仰ぐよう付勢されているが、各ピン（ピン１１ｂ及びピン１７ａ）がスライド溝２４の上部内壁と当接することでその上昇時の位置を保持されている。
【００３７】
スライド溝２３、２４はそれぞれ、スライドカム２１の稼動に伴ってその内側に擁する各ピンを上下方向に誘導するための傾斜部２３ａ，２４ａを有する。従って、図３（ａ）に示すように、ディスクＤの排出方向側（図３の右側）にスライドカム２１が位置する場合、各スライド溝に沿って各ピンが上方へと誘導されるので、ディスククランプレバー７、蓋体１１及びローラレバー１７は上方に仰ぐ。一方、図３（ｂ）に示すように、ディスクＤの挿入方向側（図３の左方向）にスライドカム２１が位置する場合、各スライド溝の傾斜部に沿って各ピンが下方へと誘導されるので、蓋体１１、ローラレバー１７及びディスククランプレバー７は下方に伏せる。即ち、スライドカム２１は、その稼動位置の変位によって、ディスククランプレバー７及び蓋体１１を俯仰動作させる。
【００３８】
スライドカム２１の稼動位置は、二つのスライドカム位置検知センサ２５，２６によって行われる。スライドカム位置検知センサ２５はスライドカム２１に対してディスクＤの挿入方向側（図３の左側）に設けられ、スライドカム２１の近接を検知する。スライドカム位置検知センサ２４はスライドカム２１の下方に設けられ、スライドカム２１の下部に設けられた段部２１ｂにより生じる検知強度の変化によりスライドカム２１の位置を検知する。ピニオンギヤ２２の回転駆動は、スライドカム位置検知センサ２５，２６の検知結果に基づきスライドカム２１の位置を制御するよう制御される。
【００３９】
各センサによる検知、ターンテーブル５や各駆動モータの駆動制御等の各種動作制御は、図示しない制御部によって行われる。
【００４０】
なお、図２（ａ）、（ｂ）に示すように、ディスク挿入／排出口１２に対してディスクＤの排出方向側に略防塵材３１を設けてもよい。
図４に略防塵材３１を設けたディスク装置１の斜視図を示す。
略防塵材３１は、フェルト等の布であり、ディスクＤを挿通可能なスリット３１ａが設けられている。略防塵材３１は、図２（ａ）に示すようにディスクＤの挿通時にディスクＤに沿って曲がり、ディスクＤの挿通を妨げない。一方、略防塵材３１は、ディスクＤの非挿通時には図２（ｂ）に示すようにスリット３１ａをほとんど閉じた状態とする。略防塵材３１は、ディスク装置１を覆う外部筐体３２に固定保持される。
【００４１】
上述の実施形態によれば、蓋体１１の先端部に断面鉤型状の折曲部が設けられ、蓋体１１が伏せたとき当該折曲部の先端縁がディスク挿入／排出口１２の開口縁のうち蓋体１１の先端縁に対向する位置の筐体２の段部２ａに当接してディスク挿入／排出口１２を閉じる。これによって、ディスク挿入／排出口は良好に閉じるので、簡易な構造で良好な防塵効果を得られるディスク装置を提供できる。
加えて、蓋体１１はディスクＤと摺接して挿入又は排出されるディスクＤをガイドする。これによって、挿入又は排出されるディスクＤはより確実に搬送される。即ち、ディスクの挿入又は排出をスムーズに行えるディスク装置を提供できる。
【００４２】
さらに、ディスク挿入／排出口１２は、ディスクＤの盤面内周部から外周部に向かって開口部の隙間が小さくなるよう設けられる。これによって、ディスクＤとディスク挿入／排出口１２の内壁との接触は、ディスクＤの外周端部に限られ、ディスクＤの記録面である内周部とディスク挿入／排出口１２とは接触せず、ディスクＤの記録面は他部材との接触によって傷つくことがない。従って、ディスクＤの記録面を傷つけてしまうことで読み取り不良等を生じさせることのないディスク装置を提供できる。
【００４３】
さらに、蓋体１１の俯仰動作、ローラレバー１７の俯仰動作及びディスククランプレバー７の俯仰動作を連動させるスライドカム２１を備えるので、ディスク装置１及びディスク装置の防塵構造１０の各部を動作させるための駆動部を集約できる。従って、ディスク装置に防塵構造を設けるコストをより低くできる。加えて、駆動部の集約により、各部を動作させるための駆動部を設けるスペースを省けるので、ディスク装置全体をよりコンパクトにできる。
【００４４】
さらに、蓋体１１は、ディスクＤの挿入及び排出動作を行うディスク搬送部１５がディスクＤを搬送可能な位置にある場合、即ちローラ１６がディスクＤの下面部に当接する場合にディスク挿入／排出口１２を開く。従って、ディスクＤの挿入又は排出時には自動的に蓋体１１がディスク挿入／排出口１２を開くので、ディスクＤの挿入及び排出がスムーズに行える。
【００４５】
さらに、ディスク装置１にディスクＤが挿入された後、蓋体１１はディスク挿入／排出口１２を閉じるので、ディスクＤの回転によって空気の動きが生じても、粉塵等の異物はディスク装置１内に入らない。従って、良好な防塵効果を得られるディスク装置を提供できる。
【００４６】
なお、本発明の実施形態は、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４７】
例えば、本実施形態における各センサは、投光部と受光部とを有し、投光部から照射された光の反射強度を受光部で検知するセンサであるが、これに限定されない。例えば、検知対象による光の遮蔽の有無を検知するセンサでもよい。
【００４８】
また、スライドカム２１による各部の俯仰動作は、個別の駆動部による俯仰動作によってもよい。
【００４９】
また、ディスクの盤面内周部から外周部に向かって開口部の隙間が小さくなる形状でないディスク挿入／排出口１２を有していてもよい。例えば上下が平行となるよう設けられたディスク挿入／排出口でもよい。
【００５０】
各部の俯仰動作方向は、上述の実施形態に限定されない。例えば、蓋体が下方へ動作したときディスク挿入／排出口が開き、上方へ動作したときディスク挿入／排出口が閉じるようにしてもよい。
【００５１】
また、ディスク排出後、ディスク挿入が行われるまでディスク挿入／排出口を閉じるようにしてもよい。
【図面の簡単な説明】
【００５２】
【図１】本発明の実施形態によるディスク装置の斜視図である。図１（ａ）はディスク挿入／排出口が開いている場合、図１（ｂ）は閉じている場合を示す。
【図２】図１（ａ）のＡ−Ａ断面図である。図２（ａ）はディスクの挿入又は排出中、図２（ｂ）はディスクの挿入後を示す。
【図３】図１（ａ）のＢ−Ｂ断面図である。図３（ａ）は蓋体、ローラレバー及びディスククランプレバーが上方に仰いでいる場合、図３（ｂ）は蓋体、ローラレバー及びディスククランプレバーが下方に伏せている場合を示す。
【図４】略防塵材を設けたディスク装置の斜視図である。
【図５】特許文献１のディスク装置の遮蔽部構造を示す図である。図５（ａ）はディスク挿入／排出口側から見た図、図５（ｂ）は図５（ａ）のＣ−Ｃ断面図である。
【符号の説明】
【００５３】
２    筐体
３    ディスク挿入検知センサ
４    ディスクエンド検知センサ
５    ターンテーブル
６    ディスク保持部
７    ディスククランプレバー
１１    蓋体
１２    ディスク挿入／排出口
１３    ヒンジ部
１４、１８    ばね
１５    ディスク搬送部
１６    ローラ
１７    ローラレバー
１９    ローラ駆動ギヤ
２１    スライドカム
２２    ピニオンギヤ
２５、２６    スライドカム位置検知センサ
３１    略防塵材
【図１】
2010055670.tif 000003
【図２】
2010055670.tif 000004
【図３】
2010055670.tif 000005
【図４】
2010055670.tif 000006
【図５】
2010055670.tif 000007